(57)【要約】【課題】無線部及びカメラ部への影響を最小限に抑えつつ低消費電力化を図る。【解決手段】撮影装置及び撮影用照明装置の電流制御部１１２を持つ携帯電話機へ、ソフトウェア１１１を適用して成る。このソフトウェア１１１は、照明電流制御部１１２を制御し、撮影時の照明電流に相当する電流増加分を、同一電源を使用する他の照明ブロックの電流を調整して補う。例えば、通話中にはカメラ撮影等を多くは行わないという点と、高画質の撮影を必要としないという事態もあり得る点に基く。この様なリアルタイムの利用状態に柔軟に対応し、低消費電力化の余地のある機能部の消費電流を抑制する。これにより、総電流値の変化を最小限に抑えることが可能となる。【選択図】        図１
2004328116.tif 000002
【特許請求の範囲】
【請求項１】
撮影対象を照明するカメラ照明部と、
表示装置を照明する表示照明部と、
操作キーを照明するキー照明部と、
前記カメラ照明部、前記表示照明部、前記キー照明部の夫々の消費電流制御を統括的に行う照明電流調整部とを有して構成されたことを特徴とする携帯電話機。
【請求項２】
前記統括的に行う消費電流制御は、総電流値の変化を抑制することを目的とした制御であることを特徴とする請求項１に記載の携帯電話機。
【請求項３】
前記消費電流制御は、撮影時に必要とする増加分の電流に相当する該増加電流分を、同一電源を使用するその他の電流調整により補う制御である、ことを特徴とする請求項２に記載の携帯電話機。
【請求項４】
撮影対象を照明するカメラ照明ステップと、
表示装置を照明する表示照明ステップと、
操作キーを照明するキー照明ステップと、
前記カメラ照明ステップ、前記表示照明ステップ、前記キー照明ステップの夫々の消費電流制御を統括的に行う照明電流調整ステップとを有して構成されたことを特徴とする携帯電話機の消費電流制御方法。
【請求項５】
前記統括的に行う消費電流制御は、総電流値の変化を抑制することを目的とした制御であることを特徴とする請求項４に記載の携帯電話機の消費電流制御方法。
【請求項６】
前記消費電流制御は、撮影時に必要とする増加分の電流に相当する電流を、同一電源を使用するその他の電流調整により補う制御であることを特徴とする請求項５に記載の携帯電話機の消費電流制御方法。
【発明の詳細な説明】
【０００１】
【発明の属する技術分野】
本発明は、携帯電話機および携帯電話機の消費電流制御方法に関し、例えば、照明機能をもつ携帯電話機等の小型携帯端末であり、カメラ撮影時の照明機能の使用時における電流増加の低減化を図った携帯電話機および携帯電話機の消費電流制御方法に関する。
【０００２】
【従来の技術】
従来の携帯電話機は、格納状態と撮影可能状態との２つの状態を実現するようにレンズを設け、必要な時のみカメラを作動させて無駄に電力を消費しない機能を構成している（例えば、特許文献１参照）。
また、ＬＣＤ表示部のバックライト以外に、キーボタンにもバックライトを使用している場合に、それぞれの明るさを独立に制御して、合計の消費電力の削減を図っているものもある（例えば、特許文献２参照）。
【０００３】
【特許文献１】
特開２００２−０７７３３０号公報
【特許文献２】
特開２００１−２１５９１４号公報
【０００４】
【発明が解決しようとする課題】
しかしながら、従来の携帯電話機では、各種の低消費電力化が提案されているものの、撮影時の電圧変動による無線部及びカメラ部への影響に関しては、未だ十分な検討および提案が為されていない問題点を伴う。
【０００５】
本発明は、主な目的として、撮影用照明機能付き携帯電話機に関して無線部及びカメラ部への影響を最小限に抑えて低消費電力化を図った、携帯電話機および携帯電話機の消費電流制御方法を提供することを目的とする。
【０００６】
【課題を解決するための手段】
かかる目的を達成するため、本発明の携帯電話機は、撮影対象を照明するカメラ照明部と、表示装置を照明する表示照明部と、操作キーを照明するキー照明部と、カメラ照明部、表示照明部、キー照明部の夫々の消費電流制御を統括的に行う照明電流調整部とを有して構成されたことを特徴としている。
【０００７】
また、上記の統括的に行う消費電流制御は、総電流値の変化を抑制することを目的とした制御であり、さらに、撮影時に必要とする増加分の電流に相当するこの増加電流分を、同一電源を使用する他の電流調整により補う制御であるとよい。
【０００８】
本発明の携帯電話機の消費電流制御方法は、撮影対象を照明するカメラ照明ステップと、表示装置を照明する表示照明ステップと、操作キーを照明するキー照明ステップと、カメラ照明ステップ、表示照明ステップ、キー照明ステップの夫々の消費電流制御を統括的に行う照明電流調整ステップとを有して構成されたことを特徴としている。
【０００９】
また、上記の統括的に行う消費電流制御は、総電流値の変化を抑制することを目的とした制御であり、さらに、撮影時に必要とする増加分の電流に相当する電流を、同一電源を使用するその他の電流調整により補う制御であるとよい。
【００１０】
【発明の実施の形態】
次に、添付図面を参照して本発明による携帯電話機および携帯電話機の消費電流制御方法の、実施の形態を詳細に説明する。図１〜図３を参照すると、本発明の携帯電話機および携帯電話機の消費電流制御方法の一実施形態が示されている。
【００１１】
以下に示す本実施形態の携帯電話機および携帯電話機の消費電流制御方法は、撮影装置及び撮影用照明機能を持つ表示機能付き携帯電話機及びこれに搭載されるソフトウェアからなる。なお、このソフトウェアは、照明制御部を持ち、撮影時の照明電流に相当する電流を、同一電源を使用する他の照明ブロックの電流を調整することにより、総電流値の変化を最小限に抑える手順に係わる携帯電話機の消費電流制御方法を構成する。
【００１２】
さらに詳述すると、例えば、一般的な状況例として、通話中にはカメラ撮影等を行う頻度が低いという点と、高画質の撮影を必要としないという事態もあり得る事に対応する。この様な事態に柔軟に対応したリアルタイムの利用状態に、低消費電力化の余地のある機能が依然残されている。
【００１３】
図１は、信号系統図であり、本実施例が適用される携帯電話機の、通信機能部の全体的な構成例を示すブロック図である。図２は、電源系統図であり、電源廻りの各種機能部の構成例を示すブロック図である。また、図３は、電源廻りの各種機能部を制御するソフトウェアの処理手順例を示すフローチャートである。
【００１４】
図１において、本実施形態に適用される携帯電話機（または、携帯端末）１０１は、無線部１０２、操作部１０３、制御回路１０４、ＣＰＵ１０５、キー照明部１０６、カメラ照明部１０７、表示照明部１０８、カメラ部１０９、表示装置１１０、照明電流制御部１１２、の各部を有して構成される。なお、照明電流制御部１１２は、当該制御部内に構成されるソフトウェア１１１により電流制御動作が実行される。
【００１５】
電源系統を示す図２において、本実施形態の携帯電話機の電源系統ブロック２０１は、バッテリ２１１と接続された無線部１０２、操作部１０３、制御回路１０４、ＣＰＵ１０５、キー照明部１０６、カメラ照明部１０７、表示照明部１０８、カメラ部１０９、表示装置１１０、及びカメラ用レギュレータ２１３を含む制御部レギュレータ２１２、照明用昇圧ＤＣ／ＤＣレギュレータ２１４、の各部を有して構成される。
【００１６】
（実施例）
図１を参照すると、本発明の一実施例としての携帯電話機の構成図が示されている。本発明における携帯電話機（携帯端末）１０１は、照明電流調整手段１１２の機能を持つソフトウェア１１１を有する。本携帯端末１０１にて使用者は、カメラ部１０９により表示装置に、撮影対象を表示しながら撮影動作を行う。その際には、カメラ照明部１０７にて一定の輝度で撮影対象の照明動作を行う。また、表示装置１１０は表示照明部１０８で、操作部１０３はキー照明部１０６にて、それぞれ照明動作を行う。
【００１７】
撮影の瞬間において、カメラ照明部１０７は、撮影対象に対して輝度を上昇させた照明動作を行う。その際、本発明の実施例における照明電流制御部１１２は、輝度上昇時に急激に増加する消費電流に該当する電流分を、同一電源で動作している表示照明部１０８及びキー照明部１０６の電流値を減らすことで対応する。これにより、同一電源ブロックとして見た場合の電流変動を最小限に抑える。
【００１８】
図２を参照すると、実施例の電源系統図が示されている。本発明における実施例が適用される携帯端末２０１は、全てバッテリ２１１の電源から電流を供給しているものとする。本条件下において、無線部２０２は、バッテリ２１１の電源を直接使用している。また、照明用昇圧ＤＣ／ＤＣコンバータ２１４は、バッテリ２１１の電源から照明用の電圧を作り出して、キー照明部２０６、カメラ照明部２０７、表示照明部２０８の各構成部へ電源を供給している。
【００１９】
操作部２０３、制御回路２０４、ＣＰＵ２０５、表示装置２１０へは、制御部レギュレータ２１２で電圧変換して供給する。また、カメラ部２０９へは、カメラ用レギュレータ２１３を使用して電源供給する。このことにより、他の電源の影響を少なくしている。
【００２０】
（動作例）
以下、本実施例のカメラ撮影モードの動作例につき説明する。図３のフローチャートを用いて、照明付き携帯電話機の照明制御の手順例を説明する。
カメラ撮影モードに入ると（ステップＳ１）撮影対象に対して、カメラ照明部１０７が照明動作を行う（ステップＳ２）。照明電流制御部１１２は、現在の照明用昇圧ＤＣ／ＤＣコンバータ２１４の現状の電流値と撮影時の増加分の電流値を計算し（ステップＳ３）、キー照明部１０６及び表示照明部１０８の電流制御によって、撮影時の電流増加分が吸収可能か否かを計算する。
【００２１】
上記計算の結果、吸収できないようであれば表示照明部１０８及びキー照明部１０６の電流値を、無線部１０２及びカメラ部１０９の電源に影響の及ばない形で、段階的に上昇させる（ステップＳ４）。撮影キー押下（ステップＳ５）により撮影キーが押されたと判断した場合に、カメラ照明部１０７の電流を増加させカメラ照明部１０７の輝度を上昇させる（ステップＳ６）。これと同時に、カメラ照明部の輝度上昇以前と同等の電流値となるように、表示照明部１０８及びキー照明部１０６の電流を下げて、これらの輝度を下降させる（ステップＳ７）。このことにより、無線部１０２及びカメラ部１０９に対しての電源の変動を最小限に抑えるように制御して、撮影動作を行う（ステップＳ８）。
【００２２】
撮影が完了した際には、カメラ照明部１０７の輝度を落とすと同時に、同等の電流値となるように表示照明部１０８及びキー照明部１０６の電流値を上げて、輝度を元に戻す（ステップＳ９）。カメラ撮影モードを終了する場合で、事前に電流コントロールを行っていた場合には、無線部１０２及びカメラ部１０９に影響の無いように、段階的に電流値を変化させて撮影モード以前の状態に戻し、カメラ撮影モードを終了する（ステップＳ１０）。
【００２３】
（実施例の効果）
このように、カメラ撮影時にカメラ照明部１０７の電流値が急激に変動することを、他の同一電源を使用している表示照明部１０８及びキー照明部１０６の電流を制御することにより、同一電源内での電流変化を最小限に抑える。このため、電源供給元のバッテリ２１１に対して、電源負荷変動を最小限に抑えることができる。この結果、無線部１０２及びカメラ部１０９に対して電源負荷変動の影響を抑えることが可能となる。更には、同一電源での電流値では足りない場合においても、本実施形態における照明電流制御部１１２によって、他のブロックの電流を事前に段階的に上げる。このことにより、電源負荷増加の影響を抑えると同時に、撮影時の電流変動を抑えることが可能となる。
【００２４】
なお、上記実施例では、同一電源で使用しているブロックをキー照明部１０６、および表示照明部１０８としているが、着信用ＬＥＤ等、同一電源を使用している構成であれば、他のブロックを制御してもよい。
【００２５】
（実施例の特徴）
本実施例は、照明機能をもつ携帯電話機等の小型携帯端末機における、カメラ撮影時の照明機能使用時における電流増加の低減化方法として、照明電流制御部１１２を有するソフトウェア１１１を設けている。
【００２６】
この照明電流制御部１１２は、図２に示すようにカメラ撮影タイミングに合わせて撮影用照明部（カメラ照明部１０７）の輝度を上昇させると同時に、同一電源を使用しているキー部の照明輝度を下降したり消灯したり、メイン液晶部の輝度を下降させる等の動作を行う。
【００２７】
このような動作をさせることにより、撮影時における照明部への電流の増加及び撮影処理での電流の増加による入力電源への影響による、無線部及びカメラ部の電源への影響度合い低減化の実現を可能としている。
【００２８】
【発明の効果】
以上の説明より明らかなように、本発明の携帯電話機および携帯電話機の消費電流制御方法は、カメラ照明部が撮影対象を照明し、表示照明部が表示装置の照明を実行し、キー照明部が操作キーの照明を実行し、照明電流調整手段がカメラ照明と表示照明とキー照明の夫々の消費電流制御を統括的に行う。これにより、同一電源ブロックとして見た場合の電流変動を最小限に抑えることができる。
【図面の簡単な説明】
【図１】本発明の携帯電話機および携帯電話機の消費電流制御方法の実施形態を示すブロック構成図である。
【図２】本実施形態へ適用される電源部の構成例を示すブロック図である。
【図３】本発明の一実施例の照明制御手順を示すフローチャートである。
【符号の説明】
１０１  携帯電話機
１０２  無線部
１０３  操作部
１０４  制御回路
１０５  ＣＰＵ
１０６  キー照明部
１０７  カメラ照明部
１０８  表示照明部
１０９  カメラ部
１１０  表示装置
１１１  電源制御ソフトウェア
１１２  照明電流制御部
２１１  バッテリ
２１２  制御部レギュレータ
２１３  カメラ用レギュレータ
２１４  照明用昇圧ＤＣ／ＤＣレギュレータ
【図１】
2004328116.tif 000003
【図２】
2004328116.tif 000004
【図３】
2004328116.tif 000005